(57)【特許請求の範囲】
【請求項１】
上部に外下向きフック(11)を備えかつ上下方向中間部に内向き支持爪(12)を備えた上下方向に細長い第１部材(1)と、上部に内下向きフック(21)を備えかつ第１部材に上下方向を摺動自在に組み合わされた第２部材(2)とからなり、前記支持爪(12)で植木鉢(c)の鍔(d)の下端の段部(31)を係止しかつ前記内下向きフック(21)で植木鉢(c)の上縁を係止した状態で植木鉢(c)を保持する、植木鉢ハンガ。
【請求項２】
第１部材(1)と第２部材(2)とが共に金属板材の打抜き屈曲成形品で、第１部材(1)と第２部材(2)とは、それらの上方と下方とに設けたスリット状の貫通孔(22,23)に他方を挿通して摺動自在に組み合わされていることを特徴とする、請求項１記載の植木鉢ハンガ。
【発明の詳細な説明】
【０００１】
【発明の属する技術分野】
この発明は、上部周縁に鍔のある植木鉢を支持枠、横桟、壁面などに懸吊するのに用いる植木鉢ハンガに関するもので、主として屋外に多数の植木鉢を設置するのに適した植木鉢ハンガに関するものである。
【０００２】
【従来の技術】
植木鉢は屋内で用いる装飾的なもの、観葉植物などを植えるのに用いる大型のもの、盆栽などに用いる広くて浅いものなど種々のものがあるが、植物を栽培するという基本的な機能の点では、古くから用いられている周縁部に鍔の付いた円錐筒状のものが適しており、多種類のあるいは多数の植物を栽培するときは、この種の植木鉢が多く用いられている。
【０００３】
一般的な草花の場合はそれほどでもないが、山野草や薬草などを栽培する場合、コレクションとして多種類のものを集めたり、株分けなどして増やすということが広く行われており、このような場合には多数の植木鉢を必要とし、機能に優れコストも安い鍔付円錐筒状の植木鉢が用いられている。この種の植木鉢は路地や簡単な棚に置かれ、鉢数が増えてくると、階段状の鉢棚に置かれるのが普通である。
【０００４】
一方、植木鉢を吊り下げて支持する植木鉢ハンガも、従来から種々の構造のものが提唱されている。植木鉢ハンガは、主として鉢植の草花を屋内に飾るのに用いられるが、屋外の壁面や支持枠などに植木鉢を懸吊するのに適した構造のものもある。そのような構造の一例として、上端に外向きの下向きフックを付けた金具に、植木鉢の鍔を支えるリングを設けた構造のものがある。この構造の植木鉢ハンガは壁面に設けた突起や支持枠の横桟にフックを引掛け、リングの中に植木鉢を落とし込んで、当該リングで植木鉢上縁の鍔を支持させることによって、植木鉢を保持する。
【０００５】
【発明が解決しようとする課題】
階段状の植木鉢棚は、鉢数がそれほど多くないときは便利であるが、鉢数が増えてくると棚をいくつも設置しなければならず、重くてかさばり、またコストも高いため、棚の移動や使用しないときの棚の収納が不便であり、鉢数が多くなると非常にコストが掛かる。また、植木鉢を棚板の上に置く構造の植木鉢棚は、棚板を伝わってなめくじやだんご虫などの害虫が鉢内に入り込みやすく、特に貴重な山野草や薬草を栽培している場合や、実生や株分けによって草花を増やしているときに、鉢内に侵入したこの種の害虫を除去する作業が大変である。
【０００６】
これに対して、支持枠の横木にハンガを用いて植木鉢を支持した場合には、比較的簡単に鉢内への害虫の侵入を防止できる。しかし植木鉢ハンガは一鉢につき一個のハンガが必要であり、鉢数が多いときは安価であることと、収納時にかさばらないことが必要である。また、植木鉢には一般的に用いられる大きさのものでも、４号から７号の４種類の大きさ（鉢の直径が１３ｃｍ〜１９ｃｍ）のもがあり、上述した従来構造の植木鉢ハンガは、鉢の寸法に合った寸法のものを用いなければならないため、例えば植木の成長に合せて鉢を変えて行く場合など、ハンガも交換する必要があって、非常に多くの数のハンガを必要とする欠点がある。しかも従来の植木鉢ハンガは、植木鉢の寸法に対応する寸法のリングを有しているので、不使用時の収納スペースもある程度必要とし、コストもあまり安くない。
【０００７】
この発明は、構造が簡単で安価に提供でき、かつ１種類のハンガで各種寸法の植木鉢を懸吊することが可能な作業性及び収納性にも優れた植木鉢ハンガを得ることを課題としている。
【０００８】
【課題を解決するための手段】
この発明は、上部に外下向きフック１１を備え、上下方向中間部に内向き支持爪１２を備えた上下方向に細長い第１部材１と、上部に内下向きフック２１を備え、第１部材に上下方向を摺動自在に組み合わされた第２部材２とからなる植木鉢ハンガを提供することにより、上記課題を解決したものである。
【０００９】
第１部材１と第２部材２とを金属板材の打抜き屈曲成形品とし、それらの上方と下方とに設けたスリット状の貫通孔２２、２３に他方を挿通して摺動自在に組み合わせた請求項２の構造は、製造が容易で実用性に優れている。
【００１０】
第１部材１及び／または第２部材２は、金属製または合成樹脂製で、請求項２のように金属板で製造するのが最も簡単であるが、例えば第１部材を角杆で形成し、支持爪１２をねじ止めするというような構造も可能である。合成樹脂製とするときは、耐候性がありかつ強度の高い材料を選定する必要があるが、錆が生じない点及び大量生産するときのコストの点で有利である。
【００１１】
第１部材と第２部材とを摺動自在に組み合わせる構造は、請求項２記載の構造のほか、例えば一方の部材の両側部に形成したＵ字溝に他方の部材の側辺を嵌挿する構造などが可能である。フック１１、２１や爪１２は、曲げや切起こしによって一体に成形するのが最も安価であるが、ねじや溶接によって設けることもできる。
【００１２】
【発明の実施の形態】
図１はこの発明の植木鉢ハンガの第１実施例を示したものである。植木鉢ハンガａは、鉄板で作られた第１部材１と第２部材２とで形成されている。第１部材１は短冊板状の鉄板の上端を外側に向けてＵ字状に屈折して、外下向きフック１１を形成し、上下方向中間位置に内側、すなわち外下向きフック１１を形成した側と反対の側に突出する支持爪１２を溶接した形状である。
【００１３】
第２部材２は、第１部材より幅広く、かつ長さの短い鉄板の上端を内側に向けて逆Ｕ字状に屈曲して、内下向きフック２１を形成し、下端を内側に折り曲げ、その上端のフックの根元部分を下端の折曲部の根元部分とに、第１部材１を挿通するスリット状の貫通孔２２、２３を設けた形状である。支持爪１２は、第１部材１を第２部材の貫通孔２２、２３に挿通したあと、溶接して固着されたものである。
【００１４】
支持爪１２の先端辺は、わずかに中凹とした円弧状で、また第２部材の内下向きフック２１の先端辺は、平面視でわずかに中凹状の円筒面状に湾曲し、かつその先端辺から側辺にかけて、角のない滑らかな曲線縁となっている。
【００１５】
上記構造の植木鉢ハンガａは、図２に示すように、支持棚３２や壁面に設けた帯板や形鋼からなる横桟ｂに外下向きフック１１を引掛け、支持爪１２を植木鉢ｃの鍔ｄの下端の段部３１に引掛けた状態で、第２部材２を下方へ引き降ろすことにより、内下向きフック２１で植木鉢ｃの上縁を係止して植木鉢ｃを保持する。
【００１６】
図３に示すように、複数本の帯板ないし形鋼ｂを階段状に装架した支持棚３２を用いれば、多数の植木鉢を階段状の植木鉢棚に置いたと同様な形態で保持できる。そしてこの発明の植木鉢ハンガは、植木鉢の鍔ｄをその円周の一箇所で係止して植木鉢全体を支える構造であるから、植木鉢の大きさが変わってもハンガを取り替える必要がなく、植木鉢を手で支えて第２部材を引き上げるという簡単な操作で植木鉢の取り外しや交換を行うことができる。
【００１７】
図４はこの発明の第２実施例を示したもので、第１実施例の支持爪１２を切起こしによって形成し、第２部材２の内下向きフック２１を左右に分割された形状として、その中央に支持爪１２が通過可能な空所を設けた構造である。この第２実施例の構造は、溶接工程が不要であり、かつ第１部材と第２部材とを組み合わせたり、分離したりすることがいつでもできる。
【図面の簡単な説明】
【図１】第１実施例のハンガの斜視図
【図２】植木鉢を保持した状態を示す断面側面図
【図３】この発明のハンガと組み合わせて多数の植木鉢を保持する支持枠の模式的な側面図
【図４】ハンガの第２実施例を示す斜視図
【符号の説明】
１  第１部材
２  第2部材
11  外下向きフック
12  支持爪
21  内下向きフック
22  貫通孔
23  貫通孔
【図１】
0004402766.tif 000002
【図２】
0004402766.tif 000003
【図３】
0004402766.tif 000004
【図４】
0004402766.tif 000005